(57)【要約】      （修正有）【課題】高さの低い棒状物品繰り出し容器の製造を可能にする。【解決手段】棒状物品繰り出し容器が、上下方向へ延びる円筒状の駆動筒１７と、駆動筒１７の内側において上下方向へ延びる円筒状のホルダー１６と、駆動筒１７に対して互いに回転可能となるように取り付けられておりホルダー１６の動きを駆動筒１７に対して回転不能かつ上下方向へ移動可能に規制する円筒状の案内筒１８とを有する。駆動筒１７は、内周面に第１ねじ溝３１ａを有する外筒３１と、外筒３１の内側にあって第１ねじ溝３１ａに摺動可能に嵌合して上下方向へ移動可能であり内周面に第２ねじ溝３２ａを有する内筒３２とからなる。ホルダー１６は、その上方に位置するカップ２１が棒状物品１０を取り付け可能に形成されており、カップ２１から下方へ延びるステム２２が内筒３２の第２ねじ溝３２ａに摺動可能に嵌合する。【選択図】図２
2006223664.tif 000002
【特許請求の範囲】
【請求項１】
上下方向へ延びる円筒状部の内周面にねじ溝が形成されている駆動筒と、前記駆動筒の内側において前記駆動筒と同軸をなして前記上下方向へ延びており上方部分が繰り出すべき棒状物品を取り付け可能に形成されており前記ねじ溝に対しての摺動可能な嵌合部を有する円筒状のホルダーと、前記駆動筒と同軸をなして前記ホルダーの外側に位置しており前記駆動筒に対して互いに回転可能に取り付けられて前記ホルダーの動きを前記駆動筒に対して回転不能かつ前記上下方向へ移動可能に規制する案内筒とを有する棒状物品の繰り出し容器において、
前記駆動筒が、内周面に第１ねじ溝を有する外筒と、前記外筒の内側にあって前記第１ねじ溝に摺動可能に嵌合して前記上下方向へ移動可能であり内周面に第２ねじ溝を有する前記外筒と同軸の内筒とからなり、
前記ホルダーが、前記内筒の内側にあって前記第２ねじ溝に摺動可能に嵌合して前記上下方向へ移動可能であるとともに前記外筒および前記内筒よりも上方に位置する部分の外周面に前記案内筒に向かって延びる突出部を有し、
前記案内筒は、その下方部分を前記外筒の内外周面のいずれかに周方向へ摺動可能に取り付けられる一方、その上方部分が前記外筒の上方へ延びていて内周面には前記ホルダーを前記駆動筒に対して回転不能かつ前記上下方向へ移動可能に規制するために前記突出部を摺動可能に嵌合させる前記突出部に対しての案内溝が前記案内筒の頂縁から下方へ延びていることを特徴とする前記繰り出し容器。
【請求項２】
前記ホルダーが、前記棒状物品を取り付け可能に形成された上方部材と、前記上方部材に前記上下方向の下方から取り付けられて前記内筒の前記第２ねじ溝に摺動可能に嵌合する下方部材とからなり、前記上方部材が前記案内筒に上方から挿入可能に形成されている一方、前記下方部材が前記内筒と前記案内筒とに下方から挿入可能に形成されている請求項１記載の繰り出し容器。
【発明の詳細な説明】
【技術分野】
【０００１】
この発明は、口紅等の棒状物品を繰り出すための容器に関する。
【背景技術】
【０００２】
従来この種の容器は周知であり、特開２０００−１８９２４５号公報（特許文献１）には、その一例が開示されている。同文献に開示の容器は上下方向に延びるもので、棒状物品が取り付けられる中子と、ねじ溝を有する外筒と、これら中子と外筒との間に介在する内筒とを有し、中子の外周面から径方向外側へ延びた一対の腕部がねじ溝に摺動可能に嵌合している。内筒には、ねじ溝に向かって延びるその腕部を通すための一対の案内部が形成されている。これらの案内部は、内筒の径方向で対向するように形成されており、そのうちの一方は、内筒の周壁を貫通して上下方向へ延びる透孔であり、もう一方は、内筒の頂縁に始まって下方へ延びるＵ字状の切り欠きである。
【特許文献１】特開２０００−１８９２４５号公報
【発明の開示】
【発明が解決しようとする課題】
【０００３】
特許文献１に開示の容器では、棒状物品の繰り出し量、即ち容器における棒状物品の上昇距離は、外筒に形成されたねじ溝の下端部から上端部までの直線距離であるから、その繰り出し量を多くしようとすると、容器の上下方向の寸法（高さ）が大きくなることを避け難い。しかるに、容器を設計する立場からは、外観上その寸法を極力小さくしたいという場合がある。しかし、特許文献１の容器では、そのような場合の要求に十分応えることが難しい。
【０００４】
そこで、この発明では、従来の棒状物品繰り出し容器において、棒状物品の繰り出し量を少なくすることなく容器の上下方向の寸法を小さくすることができるように改良を施すことを課題にしている。
【課題を解決するための手段】
【０００５】
前記課題解決のために、この発明が対象とするのは、上下方向へ延びる円筒状部の内周面にねじ溝が形成されている駆動筒と、前記駆動筒の内側において前記駆動筒と同軸をなして前記上下方向へ延びており上方部分が繰り出すべき棒状物品を取り付け可能に形成されており前記ねじ溝に対しての摺動可能な嵌合部を有する円筒状のホルダーと、前記駆動筒と同軸をなして前記ホルダーの外側に位置しており前記駆動筒に対して互いに回転可能に取り付けられて前記ホルダーの動きを前記駆動筒に対して回転不能かつ前記上下方向へ移動可能に規制する案内筒とを有する棒状物品の繰り出し容器である。
【０００６】
かかる繰り出し容器において、この発明が特徴とするところは、次のとおりである。前記駆動筒が、内周面に第１ねじ溝を有する外筒と、前記外筒の内側にあって前記第１ねじ溝に摺動可能に嵌合して前記上下方向へ移動可能であり内周面に第２ねじ溝を有する前記外筒と同軸の内筒とからなる。前記ホルダーが、前記内筒の内側にあって前記第２ねじ溝に摺動可能に嵌合して前記上下方向へ移動可能であるとともに前記外筒および前記内筒よりも上方に位置する部分の外周面に前記案内筒に向かって延びる突出部を有する。前記案内筒は、その下方部分を前記外筒の内外周面のいずれかに周方向へ摺動可能に取り付けられる一方、その上方部分が前記外筒の上方へ延びていて内周面には前記ホルダーを前記駆動筒に対して回転不能かつ前記上下方向へ移動可能に規制するために前記突出部を摺動可能に嵌合させる前記突出部に対しての案内溝が前記案内筒の頂縁から下方へ延びている。
【０００７】
請求項２に係るこの発明の好ましい実施態様において、前記ホルダーが、前記棒状物品を取り付け可能に形成された上方部材と、前記上方部材に前記上下方向の下方から取り付けられて前記内筒の前記第２ねじ溝に摺動可能に嵌合する下方部材とからなり、前記上方部材が前記案内筒に上方から挿入可能に形成されている一方、前記下方部材が前記内筒と前記案内筒とに下方から挿入可能に形成されている。
【発明の効果】
【０００８】
この発明に係る繰り出し容器では、棒状物品の繰り出し量を決めるねじ溝の上端から下端までの直線距離が外筒の第１ねじ溝と内筒の第２ねじ溝とにおける直線距離に二分されるから、ねじ溝をこのように二分することのない従来の繰り出し容器に比べて、この発明に係る繰り出し容器は容器の高さを低くすることが可能になる。
【０００９】
請求項２の態様の容器では、ホルダーが上方部材と下方部材とに二分してあって、口紅を予めセットした上方部材を案内筒に上方から挿入し、下方部材を案内筒に下方から挿入し、案内筒の内部でこれら両部材を嵌合させることができる。すなわち、かかる容器では、容器の組立工程において、口紅を容器の上方から供給することが可能になる。
【発明を実施するための最良の形態】
【００１０】
添付の図面を参照して、この発明に係る棒状物品の繰り出し容器の詳細を説明すると、以下のとおりである。
【００１１】
図１は、棒状物品繰り出し容器として棒状口紅の繰り出し容器１を例にとり、その容器１の側面を部分的に破断して示す図である。容器１は、図の上下方向に長い円柱状のもので、棒状口紅１０（図２参照）の繰り出し機構を備えた本体２と、本体２に取り外し可能にかぶさるキャップ３とを有し、図ではキャップ３が断面で示されている。キャップ３は、ＡＢＳ樹脂の如き硬質プラスチックや金属等で形成された外側キャップ６と、低密度ポリエチレン樹脂の如き軟質プラスチックで形成されて弾性変形可能な内側キャップ７とからなり、両キャップ６，７がホットメルト接着剤等の接合剤８を介して一体化している。内側キャップ７は、その下端部近傍に外側キャップ６の内周面６ａに対する上方当接部１１と下方当接部１２とを有し、これら両当接部１１，１２間に内周面６ａに対する離間部９を有する。離間部９は、本体２の隆起部１３（図２参照）に対して弾性変形下に圧接して本体２とキャップ３との間を気密に保ち、棒状口紅成分の揮散を抑えている。
【００１２】
図２は、本体２の断面図であって、棒状口紅１０の一部分が仮想線で示されている。図において本体２の幅を二等分する中心線Ｃ−Ｃの左側では、本体２における口紅１０の繰り出し機構が口紅１０を本体２の内部に収納した状態にあって口紅１０が下限の位置にあり、中心線Ｃ−Ｃの右側では、その繰り出し機構が口紅１０を繰り出した状態にあって口紅１０が上限の位置にある。かような本体２は、口紅１０を取り付け可能に形成されており実質的には円筒状をなすホルダー１６と、口紅１０を繰り出す方向とその反対方向とへ動かすためにホルダー１６を上昇・下降させることのできるねじ溝が形成された円筒状の駆動筒１７と、ホルダー１６の動く方向を規制する円筒状の案内筒１８とを有する。
【００１３】
ホルダー１６は、円筒状の上方部材であるカップ２１と、円筒状の下方部材であるステム２２とからなる。カップ２１（図３，４参照）は、口紅１０を下方から支えているものであるのに対し、ステム２２は、カップ２１の下部から下方へ延びているもので、その頂部２３が径方向の内側へ弾性的に変形した状態でカップ２１の下部に取り外し不能に嵌合している。ステム２２は、底部２４の外周面に径方向外側への一対の突出部２６ａ，２６ｂを有し、これら突出部２６ａ，２６ｂが径方向において互いに対向する位置にある。
【００１４】
駆動筒１７は、ホルダー１６と同軸をなしているもので、円筒状の外筒３１と外筒３１と同軸をなしてその内側に位置する円筒状の内筒３２とからなる。外筒３１の内周面には、外筒３１の下端部から上端部近傍にまで延びた２条ねじである第１ねじ溝３１ａが形成されている。内筒３２は、その外周面に径方向外側への一対の突出部３３ａ，３３ｂが形成される一方、その内周面には下端部から上端部近傍にまで延びた２条ねじである第２ねじ溝３２ａが形成されている。内筒３２では、一対の突出部３３ａ，３３ｂが径方向において互いに対向する位置にあって、第１ねじ溝３１ａを形成している２条ねじのそれぞれに摺動可能に嵌合している。また、内筒３２の内側には、これと同軸をなすホルダー１６のステム２２があって、ステム２２の一対の突出部２６ａ，２６ｂが第２ねじ溝３２ａを形成している２条ねじのそれぞれに摺動可能に嵌合している。外筒３１には、有底のカバー部材２７が外筒３１に対して抜脱不能かつ回転不能な状態で一体となるように嵌合している。
【００１５】
案内筒１８もまたホルダー１６と同軸をなしていて、上端開口部３６の周縁が図の右方に向かって上り勾配となるように傾斜している。案内筒１８はまた、下端部３７が外筒３１と内筒３２との間にあって、外筒３１から抜け出ることがないように、かつ案内筒１８と外筒３１とがこれらの軸である中心線Ｃ−Ｃを中心に相互に回転し得るように、外筒３１の内周面に嵌合し、かつこれら両筒１８，３１の間にはＯ−リング３８が介在している。さらに、案内筒１８は、その内周面３９に上端開口部３６の周縁から下方へ延びており、径方向において互いに対向する一対の案内溝４１ａ，４１ｂ（図５，６参照）を有し、これら案内溝４１ａ，４１ｂのそれぞれには、カップ２１の外周面に形成された一対の突出部４２ａ，４２ｂ（図３，４参照）が案内筒１８の上下方向へ移動可能かつ周方向へ移動不能に嵌合している。つまり、カップ２１を含むホルダー１６は、案内筒１８に対して上下方向にのみ移動可能である。かような案内筒１８には、頂部開口４３を有する被覆筒４４がかぶさり、これら両筒１８，４４がそれらの間に圧入された環状部材４６を介して互いに動くことがないように一体化している。なお、図示例の案内筒１８は、外筒３１の内周面ではなくて外周面に嵌合するものに代えることが可能である。
【００１６】
図３，４は、カップ２１の頂面図と部分破断側面図である。カップ２１は、その上方に口紅１０を支えるための径の大きい円筒状支持部５１を有し、下方にステム２２の頂部２３を抜脱不能かつ支持部５１に対して回転不能に連結させるための径の小さい円筒状嵌合部５２を有する。支持部５１の外周面には、径方向で対向する位置に一対の突出部４２ａ，４２ｂが形成されている。
【００１７】
図５は案内筒１８の断面図であり、図６は図５の案内筒１８の左側面図である。案内筒１８は、その内周面３９に径方向において対向し、開口部３６の縁から垂直に下方へ延びる一対の案内溝４１ａ，４１ｂを有する。案内筒１８の下端部３７は、径方向内側に弾性変形して外筒３１の内周面に対して抜脱不能に嵌合できるように、大径部と小径部と逆Ｕ字形の切り欠き部とを含む挿入部位３８を有する。
【００１８】
かように形成された図１，２の繰り出し容器１では、キャップ３を外して被覆筒４４を一方の手に持つとともにカバー部材２７をもう一方の手に持ち、被覆筒４４に対してカバー部材２７を反時計方向へ回転させると口紅１０が繰り出し方向へ動き、時計方向へ回転させると口紅１０がそれとは反対の方向へ動く。カバー部材２７が回転してこれと一体の外筒３１が回転すると、内筒３２が第１ねじ溝３１ａの上端と下端との間を摺動しながら繰り出し方向またはその反対方向へ動き、内筒３２が回転すると、ホルダー１６のステム２２が第２ねじ溝３２ａの上端と下端との間を摺動しながら繰り出し方向またはその反対方向へ動いて口紅１０を図２において上下方向へ動かすことができる。図２において明らかなように、この容器１においては、口紅１０の繰り出し量（高さ）が外筒３１に対する内筒３２の垂直方向の移動距離と、内筒３２に対するホルダー１６の垂直方向の移動距離との和となるように二分されているから、口紅１０の繰り出し量をこのように二分することなくして同じ距離だけ繰り出す場合の容器に比べて、容器の高さを低くすることが可能になる。また、この容器１の案内筒１８は、ホルダー１６の動きを規制するために案内溝４１ａ，４１ｂを有していても、従来技術の如く案内筒１８の周壁をその頂縁からＵ字形に切り欠くことがないから、そのようなＵ字形の切り欠きを有する従来技術の案内筒に比べて剛性が高く、周方向へ変形し難いものになっている。かような案内筒１８を有する容器１では、口紅１０の繰り出し量が上限に達しているにもかかわらずカバー部材２７を反時計方向へ無理に回転させたとしても、Ｕ字形の切り欠きを有する従来の案内筒に見られるようにホルダー１６の突出部４２ａ，４２ｂが案内溝４１ａ，４１ｂから簡単に外れて口紅１０の繰り出しが不能になる、ということがない。さらにはまた、この容器１では、ホルダー１６がそれぞれ別体に形成されたカップ２１とステム２２とからなり、案内筒１８に対してカップ２１を上方から挿入することができる一方、カバー部材２７を外筒３１に嵌合させる以前であるならば、ステム２２は、内筒３２の内側にある案内筒１８へ下方から挿入することができる。そして、これら両者２１，２２は、案内筒１８の内部において嵌合させることができる。それゆえ、口紅１０を予めカップ２１にセットしておくならば、この容器１の組立工程では、口紅１０を容器１の上方から供給することが可能である。
【産業上の利用可能性】
【００１９】
この発明によれば、高さの低い棒状物品繰り出し容器の製造が可能になる。
【図面の簡単な説明】
【００２０】
【図１】容器の部分破断側面図。
【図２】容器本体の断面図。
【図３】カップの頂面図。
【図４】カップの側面図。
【図５】案内筒の断面図。
【図６】図５における案内筒の側面図。
【符号の説明】
【００２１】
１    容器
１０    棒状物品（口紅）
１６    ホルダー
１７    駆動筒
１８    案内筒
２１    上方部材（カップ）
２２    下方部材（ステム）
２６ａ，２６ｂ    突出部
３１    外筒
３１ａ    第１ねじ溝
３２    内筒
３２ａ    第２ねじ溝
３７    下方部材（下端部）
３９    内周面
４１ａ，４１ｂ    案内溝
【図１】
2006223664.tif 000003
【図２】
2006223664.tif 000004
【図３】
2006223664.tif 000005
【図４】
2006223664.tif 000006
【図５】
2006223664.tif 000007
【図６】
2006223664.tif 000008